(57)【要約】【課題】室内の空気を良好に浄化させることができる室内空気浄化装置を提供すること。【解決手段】本発明では、室内の空気を浄化するための室内空気浄化装置（１）において、室内の空気を撹拌するための撹拌翼（５）を室内照明機（４）に設け、撹拌翼（５）に酸化チタンを担持させるとともに、室内照明機（４）の光源（１１〜１６）から撹拌翼（５）に向けて紫外線を照射するよう構成することにした。また、前記光源（１１〜１６）は、可視光光源と非可視光光源とを有することにした。さらに、前記撹拌翼（５）は、酸化チタンを担持させた網状体（８）を有することにした。【選択図】図１
2015160067.tif 000002
【特許請求の範囲】
【請求項１】
室内の空気を浄化するための室内空気浄化装置において、
室内の空気を撹拌するための撹拌翼を室内照明機に設け、撹拌翼に酸化チタンを担持させるとともに、室内照明機の光源から撹拌翼に向けて紫外線を照射するよう構成したことを特徴とする室内空気浄化装置。
【請求項２】
前記光源は、可視光光源と非可視光光源とを有することを特徴とする請求項１に記載の室内空気浄化装置。
【請求項３】
前記撹拌翼は、酸化チタンを担持させた網状体を有することを特徴とする請求項１又は請求項２に記載の室内空気浄化装置。
【発明の詳細な説明】
【技術分野】
【０００１】
本発明は、室内の空気を浄化するための室内空気浄化装置に関するものである。
【背景技術】
【０００２】
従来より、家屋の室内の脱臭や除菌などを行うことを目的として、室内の空気を浄化する室内空気浄化装置が用いられている。
【０００３】
この室内空気浄化装置としては、一般的には、室内の床上に載置して使用される構成のものが知られているが、室内の天井に取付けられる室内照明機に室内の空気を浄化する空気浄化機を一体的に取付けた構成のものも知られている（たとえば、特許文献１参照。）。
【先行技術文献】
【特許文献】
【０００４】
【特許文献１】特開２００１−１３７６３３号公報
【発明の概要】
【発明が解決しようとする課題】
【０００５】
しかしながら、上記従来の室内空気浄化装置では、室内照明機と空気浄化機とが単に一体的に取付けられているに過ぎず、電源を共通とするものの、室内照明機と空気浄化機とが別個独立して構成されていた。
【０００６】
そのため、従来の室内空気浄化装置では、装置が大型化しており、高価なものとなっていた。
【課題を解決するための手段】
【０００７】
そこで、請求項１に係る本発明では、室内の空気を浄化するための室内空気浄化装置において、室内の空気を撹拌するための撹拌翼を室内照明機に設け、撹拌翼に酸化チタンを担持させるとともに、室内照明機の光源から撹拌翼に向けて紫外線を照射するよう構成することにした。
【０００８】
また、請求項２に係る本発明では、前記請求項１に係る本発明において、前記光源は、可視光光源と非可視光光源とを有することにした。
【０００９】
また、請求項３に係る本発明では、前記請求項１又は請求項２に係る本発明において、前記撹拌翼は、酸化チタンを担持させた網状体を有することにした。
【発明の効果】
【００１０】
そして、本発明では、以下に記載する効果を奏する。
【００１１】
すなわち、本発明では、室内の空気を浄化するための室内空気浄化装置において、室内の空気を撹拌するための撹拌翼を室内照明機に設け、撹拌翼に酸化チタンを担持させるとともに、室内照明機の光源から撹拌翼に向けて紫外線を照射するよう構成しているために、脱臭・除菌効果を有する酸化チタンを活性化させるために室内照明機の光源を有効利用することができるので、室内空気浄化装置の小型化及び低廉化を図りつつ、室内の空気を良好に浄化させることができる。
【００１２】
特に、光源が可視光光源と非可視光光源とを有する場合には、室内を照射する必要のない時であっても非可視光光源で酸化チタンを活性化させることができ、１日中室内の空気を良好に浄化させることができる。
【００１３】
また、撹拌翼が酸化チタンを担持させた網状体を有する場合には、空気と酸化チタンとの接触面積が増大し、室内の空気をより一層良好に浄化させることができる。
【図面の簡単な説明】
【００１４】
【図１】本発明に係る室内空気浄化装置を示す側面図。
【図２】同底面図。
【発明を実施するための形態】
【００１５】
以下に、本発明に係る室内空気浄化装置の具体的な構成について図面を参照しながら説明する。
【００１６】
図１及び図２に示すように、室内空気浄化装置１は、天井２に取付けられて使用され、室内を照明するとともに室内の空気を浄化するものである。
【００１７】
この室内空気浄化装置１は、天井２に吊設される空気浄化機３と室内照明機４とを一体的に形成しており、天井２から供給される電源を共通に利用して駆動されるものである。
【００１８】
空気浄化機３は、室内の空気を撹拌するための撹拌翼５を駆動モーターで駆動するようにしている。
【００１９】
撹拌翼５は、円筒状の回転駆動軸６に複数（ここでは、４枚）の翼体７を円周方向に間隔をあけて傾斜状に取付けている。各翼体７は、貫通する開口部にアルミ等の金属製の網状体８を着脱自在に装着している。網状体８は、表面に脱臭作用や除菌作用を有する酸化チタンが直接的又は隔膜を介して間接的に担持（塗布）されている。
【００２０】
室内照明機４は、支柱９の下端部に本体10を取付け、本体10に複数（ここでは、６個）の光源11〜16を着脱自在（交換自在）に取付けている。なお、支柱９の外周には、撹拌翼５の回転駆動軸６が回動自在に取付けられている。光源11〜16は、一部又は全部の光線を撹拌翼５の網状体８に照射するようにしている。
【００２１】
ここで、光源11〜16としては、一部又は全部に紫外線を放射するものを用いている。この光源11〜16は、全て可視光光源であってもよく、一部が非可視光光源であってもよい。なお、可視光光源とは、可視光を放射する光源を指し、非可視光光源とは、非可視光の紫外線を放射する光源を指す。以下の説明では、光源11〜16として、撹拌翼５に担持した酸化チタンを活性化させることができる波長の紫外線を放射する可視光光源と非可視光光源の両方を用いた場合について説明する。
【００２２】
上記室内空気浄化装置１は、撹拌翼５を回転させることによって、室内の空気を撹拌させることができ、その際に、酸化チタンを担持させた網状体８と空気が接触することによって、室内の空気を浄化（脱臭や除菌）させることができる。
【００２３】
そして、上記室内空気浄化装置１は、室内照明機４の光源11〜16から酸化チタンを担持させた撹拌翼５の網状体８に向けて紫外線を照射させることによって、酸化チタンを活性化させることができ、浄化作用（脱臭作用や除菌作用）を長期間にわたって良好に発揮させることができる。
【００２４】
室内空気浄化装置１は、光源11〜16の点灯操作に連動して撹拌翼５を回転させるようにしている。撹拌翼５だけを強制的に回転できるようにしてもよい。その場合に、光源11〜16のうちの非可視光光源を点灯させるようにしてもよい。また、光源11〜16のうちの可視光光源を点灯させている間は非可視光光源を消灯させ、可視光光源を消灯させている間は、非可視光光源を点灯させるようにしてもよい。その場合に、光度センサ等を用いて自動的に上記の可視光光源や非可視光光源の点灯・消灯を行うようにしてもよい。さらに、定期的に非可視光光源の点灯・消灯を行うようにしてもよい。
【００２５】
以上に説明したように、上記室内空気浄化装置１では、室内の空気を撹拌するための撹拌翼５を室内照明機４に設け、撹拌翼５に酸化チタンを担持させるとともに、室内照明機４の光源11〜16から撹拌翼５に向けて紫外線を照射するよう構成している。
【００２６】
そのため、上記構成の室内空気浄化装置１では、脱臭・除菌効果を有する酸化チタンを活性化させるために室内照明機４の光源11〜16を有効利用することができるので、室内空気浄化装置１の小型化及び低廉化を図りつつ、室内の空気を良好に浄化させることができる。
【００２７】
また、上記室内空気浄化装置１では、光源11〜16として可視光光源と非可視光光源とを有する構成としている。
【００２８】
そのため、上記構成の室内空気浄化装置１では、室内を照射する必要のない時であっても非可視光光源で酸化チタンを活性化させることができ、１日中室内の空気を良好に浄化させることができる。
【００２９】
また、上記室内空気浄化装置１では、撹拌翼５として酸化チタンを担持させた網状体８を有する構成としている。
【００３０】
そのため、上記構成の室内空気浄化装置１では、空気と酸化チタンとの接触面積が増大し、室内の空気をより一層良好に浄化させることができる。
【符号の説明】
【００３１】
１  室内空気浄化装置                  ２  天井
３  空気浄化機                        ４  室内照明機
５  撹拌翼                            ６  回転駆動軸
７  翼体                              ８  網状体
９  支柱                              10  本体
11〜16  光源
【図１】
2015160067.tif 000003
【図２】
2015160067.tif 000004